(57)【特許請求の範囲】
【請求項１】
採血管を複数の搬送先へ搬送する採血管搬送装置において、
共通搬送ベルトを有するコンベア機構と、
前記共通搬送ベルトの幅方向に整列し、前記共通搬送ベルト上の搬送空間を複数の搬送ラインに仕切る複数の案内壁と、
前記複数の搬送ラインの中の少なくとも１つの対象搬送ラインに設けられ、前記共通搬送ベルトによる搬送作用を利用して、搬送されてきた採血管を当接案内し当該採血管を横方向に送り出す規制板と、
前記規制板によって横方向に送り出された採血管が排出される排出部と、
を含み、
前記共通搬送ベルトによって前記複数の搬送ラインが一体的に同時駆動され、当該採血管搬送装置への採血管の投入時にその採血管を投入する搬送ラインを選択することにより搬送先が選択されるように構成されたことを特徴とする採血管搬送装置。
【請求項２】
請求項１記載の装置において、
前記規制板は前記対象搬送ラインを斜め方向に横切って前記共通搬送ベルトの一方側辺まで伸長することを特徴とする採血管搬送装置。
【請求項３】
請求項１記載の装置において、
前記採血管は、丸みを帯びた底部とキャップを有する頭部とを有し、
前記底部を前方に向けつつ前記採血管が前記各搬送ラインへ投入されることを特徴とする採血管搬送装置。
【請求項４】
採血作業者によって被採血者の採血を実施する場合に利用される採血台ユニットを含む採血業務支援システムにおいて、
前記採血台ユニットは、
採血台テーブルと、
前記採血台テーブルに設けられ、採血管を搬送する搬送機構と、
前記採血台テーブルに設けられ、前記搬送機構から排出された採血管が収容される排出トレイと、
を含み、
前記搬送機構は、
共通搬送ベルトを有するコンベア機構と、
前記共通搬送ベルトの幅方向に整列し、前記共通搬送ベルト上の搬送空間を複数の搬送ラインに仕切る複数の案内壁と、
前記複数の搬送ラインの中の少なくとも１つの対象搬送ラインに設けられ、前記共通搬送ベルトによる搬送作用を利用して、搬送されてきた採血管を当接案内し当該採血管を横方向に送り出して前記排出トレイへ排出する規制板と、
を含み、
前記共通搬送ベルトによって前記複数の搬送ラインが一体的に同時駆動され、上流側の配給ユニットにおいて採血管を投入する搬送ラインを選択することにより搬送先が選択され、
前記採血台テーブルには複数の取付位置が定められ、
前記複数の取付位置の中から選択された取付位置に前記排出トレイを取り付け可能であり、その取り付けられた排出トレイに前記搬送機構によって採血管が排出され、
採血作業者に応じて前記排出トレイの取付位置を変更できることを特徴とする採血業務支援システム。
【請求項５】
請求項４記載のシステムにおいて、
前記複数の取付位置として、採血作業者から見て前記採血台テーブルの右側及び左側に右側取付位置及び左側取付位置が定められたことを特徴とする採血業務支援システム。
【請求項６】
請求項４記載のシステムにおいて、
前記規制板は前記排出トレイの取付端部に一体的に固定され、
前記対象搬送ラインは、前記規制板が固定された排出トレイを選択的に取り付け可能な複数の取付部を有することを特徴とする採血業務支援システム。
【発明の詳細な説明】
【０００１】
【発明の属する技術分野】
本発明は採血管搬送装置及び採血業務支援システムに関し、特に採血管を採血台まで搬送する機構に関する。
【０００２】
【従来の技術】
病院の血液検査部門等では、採血作業者（看護婦など）により、採血管を利用して被採血者に対して採血がなされる。血液検査項目などに応じて、多種類の採血管が提供されており、一般に、被採血者に対する採血１回当たり複数種類の採血管が利用される。
【０００３】
特開平８−２６６５２１号公報には、複数の採血台を連結させたシステムにおいて、それらの複数の採血台に跨ってベルトコンベアが設置され、そのベルトコンベアによって、被採血者ごとの複数の採血管を収容したパレット（トレイ）が搬送される。ベルトコンベア上には、複数の採血台に対応して設けられた複数の分配装置が設けられる。制御部の制御によって、複数の分配装置を選択的に動作させることにより、ある被採血者用のパレットがその被採血者に割り当てられた採血台へ送り込まれる。
【０００４】
なお、特開平５−９７１３３号公報には、採血管に識別ラベルを貼付し、それを被採血者ごとに管理する装置が開示されている。しかし、この装置は採血管を準備する装置に過ぎず、採血台への採血管の搬送などについては開示されていない。特開平８−２６６５２０号公報にも採血に関連するシステムが開示されているが、採血管の搬送については具体的に開示されていない。
【０００５】
【発明が解決しようとする課題】
採血管の搬送システムにおいて、採血管の排出先ごとに独立した搬送駆動機構を設けると、システムが複雑化し、システムコストを増大させる。一方、上記特開平８−２６６５２１号公報に開示されたように、単一のベルトコンベア上を流れる搬送物（パレット）を複数の分配装置によって取り出す方式を採用すると、各分配装置の動作制御が複雑になるという問題がある。よって、搬送駆動機構及び搬送制御を簡略化できる搬送方式が要望されている。これは採血管以外の容器を搬送する場合においても同様である。
【０００６】
また、従来システムでは、各採血作業者が右ききであるか左ききであるかにかかわらず、採血台の右側又は左側だけに、採血管（あるいは上記パレット）が排出されるトレイが固定設置されている。作業性を良好にするためには、採血作業者の好みや利き腕に合わせて、トレイの位置が定めれるのが望ましい。
【０００７】
本発明は、上記従来の課題に鑑みなされたものであり、その目的は、搬送機構が簡略化された採血業務支援システムを提供することにある。
【０００８】
本発明の他の目的は、容器（特に採血管）の搬送に適する搬送装置を提供することにある。
【０００９】
本発明の他の目的は、採血作業者の好みや利き腕に合わせて採血台の構成を変更できるようにすることにある。
【００１０】
【課題を解決するための手段】
（１）上記目的を達成するために、本発明は、容器としての採血管を複数の搬送先へ搬送する採血管搬送装置において、共通搬送ベルトを有するコンベア機構と、前記共通搬送ベルトの幅方向に整列し、前記共通搬送ベルト上の搬送空間を複数の搬送ラインに仕切る複数の案内壁と、前記複数の搬送ラインの中の少なくとも１つの対象搬送ラインに設けられ、前記共通搬送ベルトによる搬送作用を利用して、搬送されてきた採血管を当接案内し当該採血管を横方向に送り出す規制板と、前記規制板によって横方向に送り出された採血管が排出される排出部と、を含み、前記共通搬送ベルトによって前記複数の搬送ラインが一体的に同時駆動され、当該採血管搬送装置への採血管の投入時にその採血管を投入する搬送ラインを選択することにより搬送先が選択されるように構成されたことを特徴とする。
【００１１】
上記構成によれば、共通搬送ベルト上の搬送空間が複数の案内壁（仕切壁）によって複数の搬送ラインに区分される。すなわち、各搬送ラインは独立した搬送ラインを構成するが、各搬送ラインの底面は同じ共通搬送ベルトの表面によって構成されるため、各搬送ラインは一体的に同時駆動される。よって、各搬送ラインごとに独立して駆動源を設ける必要がないので、装置構成を簡略化できる。
【００１２】
対象搬送ラインは１又は複数定められる。対象搬送ライン上においては、搬送方向に移動する容器が規制板に当接し、その規制板によって容器の移動方向が規制され、当該対象搬送ラインの横方向（斜め方向）に送り出され、排出トレイなどの排出部に収容される。よって、従来システムのように各排出部ごとに独立した分配制御は不要であり、単に規制板を設けるだけで所望の位置から容器を横方向に取り出すことができる。
【００１３】
規制板は搬送ライン上における所望の位置に設けられるように構成するのが望ましく、その場合には、規制板をライン方向に沿ってスライド可能に構成してもよいし、搬送ライン上に規制板を設ける位置を複数設定してもよい。これに合わせて、排出部をスライド可能に構成し、あるいは排出部の取付位置を複数設定し、また、規制板までの案内壁の有効長も調整できるようにしてもよい。上記のコンベア機構は例えば採血台テーブルの天板内部に設けるようにしてもよく、かかる構成によれば、天板の下方を採血作業者用及び被採血者用に開放することができる。
【００１４】
望ましくは、前記規制板は前記対象搬送ラインを斜め方向に横切って前記共通搬送ベルトの一方側辺まで伸長する。この規制板は平板形状あるいは湾曲形状を有するものであってもよい。
【００１５】
望ましくは、前記容器は、丸みを帯びた底部とキャップを有する頭部とをもった採血管であり、前記底部を前方に向けつつ前記採血管が前記各搬送ラインへ投入される。この構成によれば、丸みを帯びた底部が規制板に当接されるため、その移動規制を円滑に行うことができ、搬送ライン内部での容器の詰まりなどを防止できる。
【００１６】
なお、必要に応じて、排出部が設けられる側が低くなるように、共通搬送ベルトを全体として傾斜させるようにしてもよい。かかる構成によれば、容器の排出をより速やかに行える。
【００１７】
（２）また、上記目的を達成するために、本発明は、採血作業者によって被採血者の採血を実施する場合に利用される採血台ユニットを含む採血業務支援システムにおいて、前記採血台ユニットは、採血台テーブルと、前記採血台テーブルに設けられ、採血管を搬送する搬送機構と、前記採血台テーブルに設けられ、前記搬送機構から排出された採血管が収容される排出トレイと、を含み、前記搬送機構は、共通搬送ベルトを有するコンベア機構と、前記共通搬送ベルトの幅方向に整列し、前記共通搬送ベルト上の搬送空間を複数の搬送ラインに仕切る複数の案内壁と、前記複数の搬送ラインの中の少なくとも１つの対象搬送ラインに設けられ、前記共通搬送ベルトによる搬送作用を利用して、搬送されてきた採血管を当接案内し当該採血管を横方向に送り出して前記排出トレイへ排出する規制板と、を含み、前記共通搬送ベルトによって前記複数の搬送ラインが一体的に同時駆動され、上流側の配給ユニットにおいて採血管を投入する搬送ラインを選択することにより搬送先が選択され、前記採血台テーブルには複数の取付位置が定められ、前記複数の取付位置の中から選択された取付位置に前記排出トレイを取り付け可能であり、その取り付けられた排出トレイに前記搬送機構によって採血管が排出され、採血作業者に応じて前記排出トレイの取付位置を変更できることを特徴とする。
【００１８】
上記構成によれば、採血台テーブルには排出トレイを取り付けるための複数の取付位置が設けられ、いずれかの取付位置に排出トレイが取り付けられる。よって、排出トレイの設置位置に自由度があるため、作業性を向上できる。ここで、採血台テーブルにおける各取付位置ごとに排出トレイを取り付けるための係合機構を設けておくのが望ましい。
【００１９】
望ましくは、前記複数のトレイ設置位置として、採血作業者から見て前記採血台テーブルの右側及び左側に右側取付位置及び左側取付位置が定められる。この構成によれば、採血作業者の利き腕や好みに応じて、排出トレイの実際の取付位置を自在に選択できる。特に、複数の採血台テーブルを複数の採血作業者によって交代して利用する場合において、各採血作業者の要望に応じて排出トレイの取付位置を自在に変更できるので各採血作業者の作業性を向上できる。
【００２０】
望ましくは、前記内部搬送機構は、共通搬送ベルトを有し、前記採血管を搬送するコンベア機構と、前記共通搬送ベルトの幅方向に整列し、前記共通搬送ベルト上の搬送空間を複数の搬送ラインに仕切る複数の案内壁と、前記複数の搬送ラインの中の少なくとも１つの対象搬送ラインに設けられ、前記共通搬送ベルトによる搬送作用を利用して、搬送されたきた採血管を当接案内して当該採血管を横方向に送り出し、当該採血管を前記排出トレイに排出する規制板と、を含む。
【００２１】
望ましくは、前記規制板は前記排出トレイの取付端部に一体的に固定され、前記対象搬送ラインは、前記規制板が固定された排出トレイを選択的に取り付け可能な複数の取付部を有する。
【００２２】
上記構成によれば、排出トレイの取り付けと同時に規制板の設置を行えるので簡便である。望ましくは、各取付部は、仕切壁に設けられた開口部と、開口部に排出トレイの受入端部を着脱自在に連結させる係合機構と、で構成される。その具体的構成としては各種の係合方式を利用可能である。使用しない開口部に対して、着脱可能なカバーあるはスライド板を設け、当該開口部からの採血管の飛び出しを防止するようにしてもよい。あるいは、案内壁をスライド移動させて共通搬送ベルト上における案内壁の有効長を自在に調整できるように構成してもよい。
【００２３】
【発明の実施の形態】
以下、本発明の好適な実施形態を図面に基づいて説明する。
【００２４】
図１には、本発明に係る採血業務支援システムの好適な実施形態が示されており、図１はその全体構成を示す概念図である。
【００２５】
図１に示すシステムは、大別して、管理ユニット１０、配給ユニット１２、複数台の採血台ユニット１４，１６及び収容ユニット１８によって構成される。管理ユニット１０は、コンピュータなどによって構成されるシステム制御部３２を有し、このシステム制御部３２によって本システムの動作が制御される。システム制御部３２には、図示されていない病院内のホストコンピュータから被採血者情報や採血条件などの情報が入力されている。システム制御部３２はそのような情報に基づいてシステムの動作管理を行っている。
【００２６】
配給ユニット１２は、本実施形態において、収容庫３６、ラベリングユニット３８及びハンドリングユニット４０によって構成される。収容庫３６には、複数種類の採血管が収容されている。ラベリングユニット３８は、システム制御部３２の指示に基づいて複数種類の採血管の中から被採血者用の採血管を選択し、その採血管に対してバーコードラベルを貼付するユニットである。
【００２７】
ハンドリングユニット４０は、バーコードラベルが貼付された採血管をラベリングユニット３８から取り出して、システム制御部３２によって指示された搬送ライン（後述）へ投入するユニットである。
【００２８】
図１には、２台の採血台ユニット１４，１６が示されている。それらの採血台ユニット１４，１６はそれぞれほぼ同様の構成を有しており、それぞれの採血台ユニット１４，１６は搬送機構２００，２０２を内蔵している。具体的には、採血台ユニット１４，１６は、採血台テーブル９０を有しており、その採血台テーブル９０の天板は所定の厚さ（例えば１０ｃｍ程度）を有し、その天板内に搬送機構２００，２０２が内蔵されている。
【００２９】
図１に示す実施形態では、搬送機構２００と搬送機構２０２とがそれぞれ別体に構成されているが、もちろんそれらを一体化させて単一の搬送機構として構成するようにしてもよい。後に説明するように、本実施形態においては、搬送機構２００が３つの搬送ラインを有している。その３つの搬送ラインは、採血台ユニット１４用の搬送ライン、採血台ユニット１６用の搬送ライン及び収容ユニット１８用の搬送ラインである。上記のハンドリングユニット４０は、その３つの搬送ラインの中で、システム制御部３２によって指示された搬送ラインへ採血管を投入する。その場合においては、本実施形態では、採血管における丸みを帯びた底部を先頭として当該採血管が搬送されるように採血管の投入が行われている。
【００３０】
搬送機構２０２は本実施形態において２つの搬送ラインを有している。２つの搬送ラインは当該採血台ユニット１６用の搬送ライン及び収容ユニット１８用の搬送ラインである。以上の説明から理解されるように、搬送機構２００が有する３つの搬送ラインのうちの２つの搬送ラインが、搬送機構２０２が有する２つの搬送ラインに連結されている。
【００３１】
図１に示されるように、本実施形態における採血台ユニット１４，１６は、例えば２つのトレイ取付位置を有しており、その２つのトレイ取付位置の中から実際に排出トレイ５０を取り付ける位置を選択可能である。図１においては、採血作業者側から見て、採血台ユニット１４，１６の右側に排出トレイ５０が取付けられている状態が示されている。ちなみに、左側に取付けられた状態が符号５０’によって表されている。
【００３２】
採血作業者は、後に説明するように、排出トレイ５０の取付位置を自在に選択することができ、その結果、自分の利き腕や好みなどに応じて排出トレイ５０の設置場所を適宜選択し、採血の作業性を向上することが可能である。
【００３３】
収容ユニット１８は、病棟被採血者用の採血管及び緊急被採血者用の採血管を収容するユニットであり、その収容ユニット１８内には、複数のトレイを積層収納したトレイスタッカが設けられ、各トレイ内には被採血者ごとに複数本の採血管が収容される。ちなみに、採血台ユニット１４，１６において、採血管搬送における上流側の端部及び下流側の端部には各搬送ラインに対応させて搬送用の開口が形成されており、その開口を介して採血管の受け渡しが行われる。
【００３４】
図２には、図１に示したシステムの全体構成が斜視図として示されている。図２に示されるように、配給ユニット１２、採血台ユニット１４，１６及び収容ユニット１８は直線上に配列されている。採血台ユニット１４，１６において、採血台テーブル９０の一方辺９０Ａは被採血者側の辺であり、その一方辺９０Ａが図示されるように円弧状に切り取られている。採血台テーブル９０の他方辺９０Ｂは採血作業者側の辺である。その採血作業者側の他方辺９０Ｂにおいては、上述したように、採血作業者の希望に応じて、その右側あるいは左側に排出トレイ５０を取り付けることが可能である。すなわち、採血台テーブル９０には、少なくとも２つのトレイ取付位置が定められており、採血作業者は、自己の希望する側と異なる側に排出トレイ５０が取付られている場合には、その排出トレイ５０を取り外して、自己が希望する側のトレイ取付位置に当該排出トレイ５０を取り付けることが可能である。
【００３５】
この排出トレイ５０には、上述した搬送機構によって搬送されてくる採血管が落とし込み収容される。具体的には、各被採血者ごとに複数本の採血管が採血トレイ５０上に揃えられることになる。
【００３６】
図２に示されるように、採血台９０上には、採血管に設けられたバーコードラベルや被採血者に携帯される検査票のバーコードラベルなどを読み取るバーコードリーダー７０が設けられている。また、採血台テーブル９０上には、被採血者情報などを表示する表示器５５及び採血管に対してバーコードラベルを手貼りする場合における当該手貼用のバーコードラベルなどを打ち出すプリンタ６４などが設けられている。さらに、採血台テーブル９０上には、支柱によって支持された表示器６０が設けられ、この表示器６０には被採血者を呼び出す際に当該被採血者の受付番号が例えば３桁表示される。
【００３７】
次に、図３〜図５を用いて搬送機構２００，２０２について詳述することにする。
【００３８】
図３には、搬送機構２００において、採血作業者から見て左側のトレイ取付位置に排出トレイ５０を取付けた状態が示されており、図４には、同様に右側のトレイ取付位置に排出トレイ５０を取り付けた状態が示されている。
【００３９】
まず図３において、コンベア機構は搬送ベルト２０８と、一対のベルトローラー２０４，２０６とで構成され、いずれかのベルトローラーを駆動することによって搬送ベルト２０８を一方方向に回転させることができる。搬送ベルト２０８は図３に示されるように幅広のベルトであり、その上方の搬送空間には図示されるように複数の案内壁２１２，２１４，２１６，２１８が互いに整列して形成されている。これらの案内壁２１２，２１４，２１６，２１８は仕切壁として機能するものであり、これらの複数の案内壁によって、それらの案内壁によって囲まれる空間として３つの搬送ライン４２，４６，４８が形成される。各搬送ライン４２，４６，４８における底面は上述した搬送ベルト２０８の上面に相当しており、すなわち搬送ベルト２０８は各搬送ライン４２，４６，４８の共通搬送ベルトとして機能し、駆動源が共用化されている。よって、各搬送ラインごとに駆動源を設ける場合に比べて、装置の機構を簡略化できるという利点がある。
【００４０】
ちなみに、本実施形態のおいてはベルトローラー２０４のローラー軸に駆動モータ２２０が連結されており、その駆動モータ２２０の回転力により搬送ベルト２０８が搬送される。各搬送ライン４２，４６，４８は採血管１本分の幅に対応した横幅を有しており、それらの搬送ライン４２，４６，４８上においては上述したように採血管の底部を先頭として当該採血管が搬送される。
【００４１】
ちなみに、図３〜図５において、各案内壁２１２，２１４，２１６，２１８を支持しているフレームについては図示省略されている。
【００４２】
図３において、案内壁２１８は、本実施形態において３つの部分によって構成される。具体的には、第１部分２１８Ａと、第２部分２１８Ｂと、それらの間に形成された開口部２２０Ｒに開閉可能に設けられるカバー板２２２と、によって構成される。案内壁２１８の下流側の端部には開口部２２０Ｌが形成されており、その開口部２２０Ｌには図示されるように、排出トレイ５０の受入端部が係合連結されている。
【００４３】
その受入端部の一端５０Ｃには本実施形態において規制板２２４の一端が一体的に固定されている。この規制板２２４は搬送ライン４８を斜め方向から横ぎって搬送ベルト２０８の一方辺まで伸長する長さを有しており、移動されてきた採血管の底部が当接し、その規制板２２４の斜面を採血管が滑ることによって当該採血管が横方向に送り出され、最終的に排出トレイ５０内に採血管が落とし込まれる。ちなみに、この規制板２２４としては平板状のものあるいは円弧状のものなどを利用することができる。本実施形態においては排出トレイ５０に規制板２２４が一体的に固定されているが、もちろんそれらを別体に構成するようにしてもよい。本実施形態の構成によれば、排出トレイ５０の取付位置を変更する場合において、その取付けと同時に規制板２２４の取付けを完了できるという利点がある。
【００４４】
必要に応じて、排出トレイ５０をその取付状態において左右方向にスライド運動できるように構成してもよく、これと同様に、規制板２２４についても左右方向にスライド運動可能に構成してもよい。その場合においては、案内壁２１８の有効長を自在に調整できるように構成するのが望ましい。例えば巻尺のように、案内壁２１８を巻き取り可能な構成とし、必要な長さだけ引き出して案内板として機能させるようにしてもよい。
【００４５】
本実施形態においては、図示省略されているが、開口部２２０Ｌ及び２２０Ｒにそれぞれ取付機構が形成されており、その取付機構を利用して排出トレイ５０の受入端部を取り付けることが可能である。そのような取付機構としては公知の係合機構を採用することが可能である。いずれにしても、搬送ライン４８上に流される採血管が円滑に排出トレイ５０内に収容されるように構成するのが望ましい。
【００４６】
排出トレイ５０には、図示されるように、トレイ底面５０Ａの周囲に枠体５０Ｂが形成されており、その枠体５０Ｂによって採血管が案内されつつ収納され、具体的には、図示されるように採血管の軸方向を搬送方向と平行にしつつ複数の採血管が整列収納される。
【００４７】
図４には上記のように右側の開口部２２０Ｒに対して排出トレイ５０を取付けた状態が示されている。ちなみに、この場合においてカバー板２２２は取り外すように構成してもよく、あるいはスライド運動させて開口部２２０Ｒを露出させるように構成してもよい。カバー板２２２が一方端を中心として回転し、それが事実上規制板として機能するものであってもよい。図４に示されるように、右側のトレイ取付位置に排出トレイ５０を取り付けた状態では搬送ライン４８に採血管を投入すると直ちに採血管が排出トレイ５０内に落とし込まれることになる。
【００４８】
よって、採血作業者は排出トレイ５０の取付位置を適宜選択することにより、所望の位置に採血管を整列させることができるので、その作業性を良好にできるという利点がある。
【００４９】
またそのような場合において、図１に示したハンドリングユニット４０により搬送ラインの選択を行うだけで上記のような採血管の搬送及び整列を行わせることができ、各排出トレイの取付位置に複雑な分流機構などを設ける必要はない。ちなみに、図４において、右側のトレイ取付位置に排出トレイ５０を取り付ける場合には、必要に応じて第２部分２１８Ｂを除去するようにしてもよい。なお、排出トレイ５０はその受入端から徐々に低い位置になるようにやや傾斜した状態で設置される。
【００５０】
搬送ベルト２０８を図３及び図４において奥側から手前側にかけてやや傾斜させるようにしてもよく、そのような構成によれば、各搬送ライン４２，４６，４８において採血管を図において手前側に位置決めしつつ搬送を行えるため、採血管の搬送時にその採血管が不規則運動することを防止可能である。また、そのような構成によれば速やかに採血管を排出トレイ５０に引き込むことができるという利点がある。
【００５１】
図５には、図１に示した搬送機構２０２の一例が斜視図として示されている。上述したように、この搬送機構２０２は上記の搬送機構２００の下流端に連結されるものであり、基本的な構成は搬送機構２００と同様であるが、図５に示す実施形態においては搬送機構２０２が２つの搬送ライン４２，４６のみを有している。すなわち、それ以外の構成は図３及び図４に示したものと同様であり、同様の構成には同一符号を付しその説明を省略する。
【００５２】
図５に示すように、搬送ライン４４に投入された採血管は規制板２２４の作用によって排出トレイ５０内に送り出されることになる。したがって、ハンドユニットにおいて、採血管を投入する搬送ラインを選択するだけで、あとは自動的に必要な箇所に採血管を搬送することが可能である。ちなみに搬送ライン４２が選択された場合には、収容ユニット１８内に採血管が送り込まれ、必要に応じてトレイ内に収容されることになる。
【００５３】
【発明の効果】
以上説明したように、本発明によれば、搬送機構が簡略化された採血業務支援システムを提供することができる。また、本発明によれば採血作業者の好みや利き腕に併せて採血台の構成を変更することが可能となる。
【図面の簡単な説明】
【図１】本発明に係る採血業務支援システムの全体構成を示す概念図である。
【図２】図１に示すシステムの斜視図である。
【図３】排出機構の左側に排出トレイが取り付けられた状態を示す斜視図である。
【図４】排出機構の右側に排出トレイが取り付けられた状態を示す斜視図である。
【図５】排出機構の他の構成例を示す斜視図である。
【符号の説明】
１０  管理ユニット、１２  配給ユニット、１４，１６  採血台ユニット、１８  収容ユニット、４２，４６，４８  搬送ライン、５０  排出トレイ、２００，２０２  搬送機構、２０８  搬送ベルト、２１２，２１４，２１６，２１８  案内壁、２２４  規制板。
【図１】
0003619774.tif 000002
【図２】
0003619774.tif 000003
【図３】
0003619774.tif 000004
【図４】
0003619774.tif 000005
【図５】
0003619774.tif 000006